(57)【要約】  【課題】利用者ＩＤに基づき利用者登録をしているカラオケ演奏装置にて所定の利用者が当該カラオケ演奏装置の利用を終了した際、当該利用者による演奏予約が残っていたとしても、人為的な煩わしさを必要とせずに、これを自動的に消去できる装置の提供。  【解決手段】利用者ＩＤ認識手段（３）と、当該認識手段をもって利用者ＩＤを登録していた任意の利用者がその登録を抹消する際、その抹消完了のタイミングにて、その利用者ＩＤを紐付けされているカラオケ楽曲の演奏予約を自動的に消去するための利用者別予約消去手段（１６）と、を具備してなるカラオケ演奏装置（１）。【選択図】図１
2006126521.tif 000002
【特許請求の範囲】
【請求項１】
利用者ＩＤ認識手段と、当該認識手段をもって利用者ＩＤを登録していた任意の利用者がその登録を抹消する際、その抹消完了のタイミングにて、当該利用者ＩＤを紐付けされているカラオケ楽曲の演奏予約を自動的に消去するための利用者別予約消去手段と、を具備してなるカラオケ演奏装置。
【発明の詳細な説明】
【技術分野】
【０００１】
本発明は、利用者が利用を終了した際、当該利用者による演奏予約が残っている場合、これを自動的に消去するためのカラオケ演奏装置に関する。
【背景技術】
【０００２】
最近、カラオケシステムの提供するサービスは、汎用的なカラオケ演奏に止まらず、カラオケ利用者を個別に管理して、利用者個別のコンテンツを提供できるようになるなど、著しく進歩している。例えば、利用者個別に歌唱力採点を行い、そのランキング情報を利用者の氏名や顔写真などと共に表示したり、利用者ＩＤ別の歌唱録音データについて、その歌唱力の段位・級位などを検定したりするものなどがある。通常、利用者がこのような個別サービスを受ける際には、利用しているカラオケ演奏装置では、利用者ＩＤ認識手段を付帯させて所定のカラオケシステムへのログイン、すなわち、システム利用開始時の利用者ＩＤに基づく利用者登録をする必要がある。そして、当然のことながら、一旦、利用者がカラオケ演奏装置にログインした場合、その利用終了時にはログアウト、すなわち、ログインした利用者ＩＤに基づく利用者の登録抹消が必要となる。
【０００３】
従来、このようにカラオケ利用時に利用者ＩＤを認識し、利用者を所定のシステムにログインさせることで、個人別のサービスを提供するカラオケシステムについて、上記したコンテンツサービス以外にも様々な技術が想到されている。例えば、特許文献１では、カラオケ演奏装置にて利用者ＩＤを取得し、各利用者の利用履歴簿を作成して、利用頻度が所定以上の利用者ＩＤを選出し、これを端末別常連客として記憶し、接客サービスに活かすシステムが開示されている。
【０００４】
ところで、利用者が所望のカラオケ楽曲を演奏予約する場合、通常、カラオケ演奏装置が付帯するリモコン装置にて入力した検索キーワードを属性情報に関するクエリーとしてデータベースを照会し、該当するカラオケ楽曲についての目次情報や楽曲番号を出力させる。そして、その楽曲コードをリモコン信号として至近のカラオケ演奏装置に転送し、カラオケ演奏装置は、その信号に含まれている楽曲コードを演奏予約の待ち行列として管理し、その予約待ち行列から順次楽曲番号をピックアップして、その楽曲コードに対応するカラオケ楽曲を演奏する。この場合でも、現在では、利用者登録をした利用者ＩＤを楽曲コードに紐付けさせることにより、どの利用者がどのカラオケ楽曲を予約したのかを個別に管理できるようになっている。
【０００５】
さて、カラオケには大きく分けて二種類の利用法がある。すなわち、カラオケルームでの利用のように、グループや個人が一つのカラオケ演奏装置を独占する場合と、スナックやバーでの利用のように、一つのカラオケ演奏装置を不特定多数が共有する場合である。前者の場合には特に問題はないのであるが、後者の場合には、各利用者がカラオケで歌うことを主目的として来店しているとは限らなので、演奏予約をしたにもかかわらず、キャンセルしたいと思った時から、自分の予約曲の順番が回ってくるまでカラオケ演奏装置の動作に注意を払っていないと、直ぐには「演奏中止」コマンドを発行できないし、不用意に歌唱無しの演奏が続くと他の利用者に不快感を与え、多大な迷惑をかけてしまう。
【０００６】
このような問題に対応し、例えば、特許文献２では、リモコン送信に基づく曲名表示状態において、ある曲名が特定された上で所定の利用者入力があった場合、カラオケ演奏装置に対して演奏予約の待ち行列に登録されている当該楽曲の演奏を取り止めるように指示するリモコン装置が想到され、演奏予約の取り消しを簡単な操作で行えるようになった。
【０００７】
【特許文献１】特開２０００−４７６７６号公報
【特許文献２】特開２００３−１３１６７１号公報
【発明の開示】
【発明が解決しようとする課題】
【０００８】
しかしながら、このような技術をもってしても、人為的な操作を必要とするため、利用者が酔ってしまった時など、その演奏予約が残っているにもかかわらず、利用者が利用を終えて途中で帰ってしまった場合には、歌唱者がいない状態で、利用者が予約した楽曲の順番が来たら自動的に演奏されてしまうため、他の利用者に多大な迷惑をかけることになってしまう。
【０００９】
そこで、本発明は、利用者ＩＤに基づき利用者登録をしているカラオケ演奏装置にて所定の利用者が当該カラオケ演奏装置の利用を終了した際、当該利用者による演奏予約が残っていたとしても、人為的な煩わしさを必要とせずに、これを自動的に消去できる装置の提供を課題とする。
【課題を解決するための手段】
【００１０】
上記課題を鑑み、本発明者は、利用者ＩＤを登録していた任意の利用者がその登録を抹消する際、その抹消完了のタイミングにて、その利用者ＩＤを紐付けされているカラオケ楽曲の演奏予約を自動的に消去させるための手段を具備させたことで、上記課題を解決できることを見出し、本発明のカラオケ演奏装置を想到した。
【００１１】
すなわち、本発明のカラオケ演奏装置は、利用者ＩＤ認識手段と、当該認識手段をもって利用者ＩＤを登録していた任意の利用者がその登録を抹消する際、その抹消完了のタイミングにて、当該利用者ＩＤを紐付けされているカラオケ楽曲の演奏予約を自動的に消去するための利用者別予約消去手段と、を具備してなることを特徴とする。
【発明の効果】
【００１２】
本発明のカラオケ演奏装置によれば、利用者ＩＤの登録抹消完了のタイミングにて、その利用者ＩＤを紐付けされているカラオケ楽曲の演奏予約を自動的に消去させるための利用者別予約消去手段を具備させたことで、従来のような人為的な操作に依らず、カラオケ利用終了時に、自動的かつ効率良く確実に利用者別の演奏予約消去が行い得るようになるといった効果を奏する。
【発明を実施するための最良の形態】
【００１３】
以下、本発明のカラオケ演奏装置について、好適な実施例を挙げて詳述するが、先ず、ここでは、図１に示す、本発明のカラオケ演奏装置の概略的ブロック構成図と、図２に示す、予約待ち行列の概略的構成図に基づき説明する。
【実施例１】
【００１４】
図１に示すように、本発明のカラオケ演奏装置（１）は主に、装置全体の動作を制御する中央制御手段（２）と、これに接続された各種機器にて構成されている。すなわち、この中央制御手段（２）には、ハードディスク（４）、ＲＡＭ（５）、音源（６）、ミキサ（７）、ボーカルアダプタ（１０）、ＭＰＥＧデコーダ（１１）、合成回路（１２）、利用者ＩＤ認識手段であるＩＤカード読み取り／書き込み装置（３）などが接続されている。また、ハードディスク（４）には、カラオケ楽曲を演奏するための楽曲データ（２０）や背景映像の映像データ（２１）などを記録している。
【００１５】
ここで、カラオケ演奏装置（１）の構成要素について少々説明する。先ず、音源（６）は、中央制御手段（２）が実行するシーケンサ（１５）における楽曲シーケンサの処理によって入力された楽曲データに応じて楽音信号を形成する。形成された楽音信号はミキサ（７）に入力され、このミキサ（７）は、音源（６）が発生した複数の楽音信号やカラオケマイク（Ｍ）と、Ａ／Ｄコンバータ（９）を介して入力された利用者の歌唱音声信号を適当なバランスでミキシングする。ミキシングされたデジタル音声信号はサウンドシステム（８）に入力される。このサウンドシステム（８）はパワーアンプを備え、入力されたデジタル信号をアナログ信号に変換して増幅し、スピーカ（Ｓ）から楽音と歌唱音声を放音する。
【００１６】
ハードディスク（４）に記録されている映像データ（２１）は、ＭＰＥＧ形式にエンコードされており、中央制御手段（２）が実行する背景映像再生手段（図示省略）により再生処理を行い、これを読み出してＭＰＥＧデコーダ（１１）に入力する。このＭＰＥＧデコーダ（１１）は入力されたＭＰＥＧデータをＮＴＳＣの映像信号に変換して合成回路（１２）に入力し、この合成回路（１２）は、この背景映像の映像信号上に歌詞テロップや採点表示などのＯＳＤを合成し、合成された映像信号は表示手段（Ｄ）に表示される。
【００１７】
シーケンサ（１５）は楽曲コードで識別される楽曲データをハードディスク（４）の楽曲データ記録エリア（２０）から読み出す。これは主に楽曲シーケンサおよび歌詞シーケンサからなっており、楽曲シーケンサは楽曲データ中の演奏データトラック、ガイドメロディトラックなどのトラックデータを読み出し、このデータで音源（６）を制御することでカラオケ楽曲の演奏を行い、一方、歌詞シーケンサは文字パターン作成手段を備えており、楽曲データ中の歌詞トラックのデータを読み出し、このデータに基づいて歌詞テロップの画像パターンを作成して、これを合成回路（１２）に出力する。
【００１８】
そして、このカラオケ演奏装置（１）には、楽曲検索機能を備えた多機能カラオケリモコン装置（Ｒ）が付帯されており、このリモコン装置（Ｒ）をもって、利用者は赤外線信号によりカラオケ演奏装置（１）に所望の演奏予約コマンドを送信する。操作制御手段（１４）は、この操作信号を検出すると対応する処理を行う。例えば、リモコン装置（Ｒ）にて楽曲コードが入力されると、カラオケ楽曲のリクエストであるとしてＲＡＭ（５）の予約待ち行列（Ｔ）に楽曲コードを演奏予約する。
【００１９】
このリモコン装置（Ｒ）は、その内蔵２次電池に充電するための専用架台が必要となるが、この専用架台には、充電手段の他、利用者ＩＤを識別し、当該利用者のログインを認識するための利用者ＩＤ認識手段（３）が付帯されている。本実施例の利用者ＩＤ認識手段（３）は、非接触のＩＣモジュールを搭載したＩＤカードの読み取り／書き込み装置であり、カードＩＤに紐付けされた利用者ＩＤを特定するものである。勿論、本実施例の他に、例えば、ＩＣモジュールを携帯電話に内蔵させたＩＣ機能付き携帯電話や、近距離無線通信手段であるブルートゥース（blue tooth）機構を有する携帯電話、あるいはパスワードの入力装置や指紋や声紋などの生体識別機能に依る機構の利用者認識手段を利用しても構わない。
【００２０】
本実施例の利用者ＩＤ認識手段（３）により、利用者のＩＤカードデータの読み取り入力により利用者が認識されると、利用者毎のＩＤアイコン（図４参照）が作成される。すると、ログインにより形成された自らのＩＤアイコンを指定した前後の操作にて、当該操作がどの利用者から発せられたものなのかを操作制御手段（１４）が認識でき、これによって、図２に示すように、テーブル様態に構成された予約待ち行列（Ｔ）の「演奏順位」フィールド（ｆ１）に対応した、「利用者ＩＤ」フィールド（ｆ２）と、これに紐付けされた「楽曲コード」フィールド（ｆ３）に演奏予約が登録される。
【００２１】
利用者別予約消去手段（１６）は、この予約待ち行列（Ｔ）において、利用者ＩＤを登録していた任意の利用者がその登録を抹消する際、その抹消完了のタイミングにて、「利用者ＩＤ」フィールド（ｆ２）に登録されている、その利用者ＩＤを紐付けされているカラオケ楽曲を「楽曲コード」フィールド（ｆ３）から削除し、演奏予約を自動的に消去すると共に、「演奏順位」フィールド（ｆ１）に残された、他の利用者ＩＤに紐付けされた楽曲の順位は、この削除により順次繰り上がるように自動処理を行う。
【００２２】
以下、図３に示す、多機能カラオケリモコン装置の外観斜視図と、図４に示す、利用者別ログイン・ログアウト指示のインタフェイス表示画面に基づき、本発明のカラオケ演奏装置に対する、利用者ＩＤに基づくログイン（利用者登録）・ログアウト（登録抹消）について詳述する。
【００２３】
先ず、図３の（イ）と（ロ）は、それぞれリモコン装置（Ｒ）の正面斜視図と背面斜視図を示す。最近、カラオケ演奏装置用のリモコン装置も多機能化が進み、実質的に携帯可能なハンドヘルド型あるいはパームトップ型のコンピュータと同等なハードウエアに、楽曲検索機能やデジタルカメラ機能やインターネットを介してデータ通信する機能などを備えた携帯型コンピュータに変貌している。具体的には、このリモコン装置（Ｒ）は、一般的な利用であるリモコン送信器により出力したリモコン信号を至近のカラオケ演奏装置に送信し、カラオケ演奏装置がこの信号をリモコン受信器により受信して曲を演奏予約する他、例えば、デジタルカメラ機能を使って撮影した利用者別の顔写真をカラオケ演奏装置のディスプレイに表示させたり、利用者別の歌唱採点結果を表示させたり、さらには、ＬＡＮを通じて店舗内のコンピュータと通信したり、インターネットを介した通信を行ったりすることも使用形態の一部となっている。
【００２４】
このリモコン装置（Ｒ）は、（イ）に示すように、その正面には液晶ディスプレイ（ＬＣＤ；Ｒａ）とタッチセンサ（Ｒｂ）とを積層したタッチパネルを主体とした利用者インタフェイスが備えられている。また、内蔵するフラッシュメモリ（図示省略）にはカラオケ演奏装置に蓄積されているものと同様の目次情報やタッチパネルに表示される各種画像情報などが蓄積されている。そのリモコン制御部（図示省略）はＣＰＵやＲＡＭ、ＲＯＭ、ビデオＲＡＭなどを含み、タッチパネルへの入力情報に基づいて各種画像情報や文字情報をビデオＲＡＭにビットマップ展開し、そのビットマップデータに基づいて、ＬＣＤドライバを駆動してタッチパネルに適宜な情報を表示する。さらに、フラッシュメモリに蓄積されている目次情報を楽曲索引データベースとして管理するためのプログラムなども実装している。
【００２５】
なお、このリモコン装置（Ｒ）が、前述した専用架台に装着されると、（ロ）に示すように、その背面の下方所定部にはＬＡＮポート（Ｒｃ）が設けられており、ＬＡＮ接続ケーブルに結線されるため、それによって、ＬＡＮを介して本発明のカラオケ演奏装置と通信したり、さらには、ＶＰＮ（Virtual Private Network）を介してカラオケホスト装置と通信したりできる。
【００２６】
次に、図４は、多機能カラオケリモコン装置の液晶ディスプレイ（Ｒａ）とタッチセンサ（Ｒｂ）とを積層したタッチパネルの表示画面を示しており、このタッチパネルが利用者別にログインとログアウトを指示するための利用者インタフェイスとなっている。この表示画面には、利用者別顔写真付きアイコン列（３０）や利用者毎にログインするための「ログイン」アイコン（３１）や、同様に、ログアウトするための「ログアウト」アイコン（３２）などが設けられている。
【００２７】
リモコン装置を前述した専用架台に装着した状態で、利用者は先ず、「ログイン」アイコン（３１）を選択した後、当該専用架台に付帯したＩＤカードの読み取り／書き込み装置（利用者ＩＤ認識手段）に自らのＩＤカードを装填することにより、これに紐付けされた利用者ＩＤが識別されると同時にログインが認識される。ログインが認識されると、カラオケホスト装置に予め登録された利用者の顔写真、あるいは予め登録されていない場合、デジタルカメラ機能を使って撮影した利用者の顔写真を新たに登録して、順次、所定の利用者別顔写真付きアイコン（３０ａ）を利用者毎に作成する。
【００２８】
この利用者インタフェイスを利用すれば、例えば、演奏予約の際、利用者は自らの顔写真付きアイコン（３０ａ）を選択すれば、その演奏予約が当該利用者によるものであるとの表示ができる。そして、利用者がログアウトしたい場合には、「ログアウト」アイコン（３２）を選択し、続けて自らの顔写真付きアイコン（３０ａ）を選択すれば当該利用者がログアウトしたと判断され、このタイミングにて、当該利用者ＩＤを紐付けされているカラオケ楽曲の演奏予約は自動的に消去される。
【００２９】
以上、詳述したように、本発明のカラオケ演奏装置によれば、利用者ＩＤの登録抹消完了のタイミングにて、その利用者ＩＤを紐付けされているカラオケ楽曲の演奏予約を自動的に消去させるための利用者別予約消去手段を具備させたことで、従来のような人為的な操作に依らず、カラオケ利用終了時に、自動的かつ効率良く確実に利用者別の演奏予約消去が行い得るようになる。
【図面の簡単な説明】
【００３０】
【図１】本発明のカラオケ演奏装置の概略的ブロック構成図。
【図２】予約待ち行列の概略的構成図。
【図３】多機能カラオケリモコン装置の外観斜視図。
【図４】利用者別ログイン・ログアウト指示のインタフェイス表示画面。
【符号の説明】
【００３１】
１  カラオケ演奏装置
２  中央制御手段
３  利用者ＩＤ認識手段
４  ハードディスク
５  ＲＡＭ
１３  通信制御手段
１４  操作制御手段
１６  利用者別予約消去手段
Ｔ  予約待ち行列
Ｒ  リモコン装置
【図１】
2006126521.tif 000003
【図２】
2006126521.tif 000004
【図３】
2006126521.tif 000005
【図４】
2006126521.tif 000006